(57)【要約】【課題】送信アンテナ数を４本以上とした場合でも、伝送効率の低下を抑制し高いダイバーシチ効果が得られる無線通信装置を得ること。【解決手段】リモート局１−１〜１−ｍを備え、リモート局１−１〜１−ｍは、送信アンテナ１６−１，１６−２と、１つのリモート局が備える２本の送信アンテナでアンテナペアを構成し、アンテナペアごとに同一の送信データを入力とし、アンテナペアを構成する送信アンテナ１６−１，１６−２で送信する２つのＳＴＢＣ符号化送信データをＳＴＢＣ処理により生成するＳＴＢＣ処理部１２と、ＳＴＢＣ符号化送信データに対して、１つのアンテナペアを構成する送信アンテナ間では同一の値となりアンテナペアごとに異なる値となる周波数オフセットを付加する周波数オフセット付加部１３と、を備える。【選択図】図２
2013102348.tif 000002
【特許請求の範囲】
【請求項１】
２Ｎ（Ｎは２以上の整数）本の送信アンテナと、
前記２Ｎ本の送信アンテナのうちの２本ずつでＮ組のアンテナペアを構成し、アンテナペアごとに同一の送信データを入力とし、アンテナペアごとに前記送信データに基づいてアンテナペアを構成する２本の前記送信アンテナで送信する２つのＳＴＢＣ符号化送信データをＳＴＢＣ処理により生成するＳＴＢＣ処理部と、
前記ＳＴＢＣ符号化送信データに対して、１つのアンテナペアを構成する送信アンテナ間では同一の値となりアンテナペアごとに異なる値となる周波数オフセットを付加する周波数オフセット付加部と、
を備え、
周波数オフセット後の前記ＳＴＢＣ符号化送信データを対応する前記送信アンテナから送信することを特徴とする無線通信装置。
【請求項２】
前記無線通信装置は、２以上のリモート局と、前記送信データを前記リモート局へそれぞれ送信する集約局と、を備え、
前記リモート局は、
２Ｍ（Ｍは１以上の整数）本の前記送信アンテナと、
前記２Ｍ本の送信アンテナのうちの２本ずつでＭ組のアンテナペアを構成し、アンテナペアごとに、アンテナペアを構成する２本の前記送信アンテナで送信する２つの送信データをＳＴＢＣ処理により生成する局内ＳＴＢＣ処理部と、
前記ＳＴＢＣが生成した前記送信データに対して、１つのアンテナペアを構成する送信アンテナ間では同一の値となりアンテナペアごとに異なる値となる周波数オフセットを付加する局内周波数オフセット付加部と、
を備え、
前記２以上のリモート局の前記局内ＳＴＢＣ処理部により前記ＳＴＢＣ処理部を構成し、前記２以上のリモート局の前記局内周波数オフセット付加部により前記周波数オフセット付加部を構成する、ことを特徴とする請求項１に記載の無線通信装置。
【請求項３】
前記ＳＴＢＣ処理を、前記送信データをシンボルにマッピングしたマッピングデータと前シンボルの各送信アンテナのＳＴＢＣ符号化送信データとに基づいて次シンボルの各送信アンテナのＳＴＢＣ符号化送信データを漸化的に算出する差動符号化ＳＴＢＣ処理とする、ことを特徴とする請求項１または２に記載の無線通信装置。
【請求項４】
請求項１、２または３に記載の無線通信装置と、
前記無線通信装置から送信された信号を受信し、前記信号に対してＳＴＢＣ処理を実施して前記無線通信装置から送信された送信データを求める端末と、
を備えることを特徴とする無線通信システム。
【請求項５】
２Ｎ（Ｎは２以上の整数）本の送信アンテナを備える無線通信システムにおける無線通信方法であって、
前記２Ｎ本の送信アンテナのうちの２本ずつでＮ組のアンテナペアを構成し、アンテナペア間で同一となる送信データに基づいて、アンテナペアごとにアンテナペアを構成する２本の前記送信アンテナで送信する２つのＳＴＢＣ符号化送信データをＳＴＢＣ処理により生成するＳＴＢＣ処理ステップと、
前記ＳＴＢＣ符号化送信データに対して、１つのアンテナペアを構成する送信アンテナ間では同一の値となりアンテナペアごとに異なる値となる周波数オフセットを付加する周波数オフセット付加ステップと、
周波数オフセット後の前記ＳＴＢＣ符号化送信データを対応する前記送信アンテナから送信する送信ステップと、
を含むことを特徴とする無線通信方法。
【発明の詳細な説明】
【技術分野】
【０００１】
本発明は、無線通信装置、無線通信システムおよび無線通信方法に関する。
【背景技術】
【０００２】
一般に無線通信を用いた移動通信においては、多重波伝搬により受信レベルが変動するフェージングが発生し、伝送品質が大きく劣化する。受信レベルの変動による伝送品質の劣化を軽減する技術としてダイバーシチ技術が知られている。
【０００３】
ダイバーシチ技術の例として、受信側の演算量を増大させない送信ダイバーシチ方式が、下記特許文献１に開示されている。下記特許文献１の送信ダイバーシチ方式では、ｍ（ｍは２以上の整数）本の送信アンテナにそれぞれ対応したｍ個の周波数オフセット付与手段を備え、ｍ個の周波数オフセット付与手段が、生成した送信信号に対してそれぞれの送信アンテナに対応した周波数オフセットを付与する。このとき、付与する全ての周波数オフセット同士の差が所定の規則を満たすように付与することにより、受信側では周波数オフセット差に応じた周期の受信信号レベルの変動（うなり）が発生するが、下記特許文献１では、インタリーブと誤り訂正とを組み合わせることにより、高いダイバーシチ効果を得ている。
【０００４】
送信ダイバーシチ方式の別の例として、非特許文献１に記載の方式がある。非特許文献１では、送信アンテナ０、１から時刻ｔにｓ0、ｓ1をそれぞれ送信し、時刻ｔ＋Ｔ（Ｔはシンボル時間）に−ｓ1*、ｓ0*（*は複素共役を表す）を送信し、受信側では、時刻ｔ、ｔ＋Ｔの受信信号をｒ0、ｒ1として次式により送信信号ｓ0，ｓ1の推定値Ｓ0，Ｓ1を求める。これにより、最大比合成と同じダイバーシチ利得が得られる方式を提案している。なお、ｈ0、ｈ1は、送信アンテナ０、１と受信アンテナの間のチャネル推定値である。
Ｓ0＝ｈ0*ｒ0＋ｈ1ｒ1*
Ｓ1＝ｈ1*ｒ0＋ｈ0ｒ1*
【０００５】
また、非特許文献１では２アンテナ送信であるのに対して、３アンテナ以上の送信に拡張した技術が、例えば非特許文献２に記載されている。
【先行技術文献】
【特許文献】
【０００６】
【特許文献１】特開２００７−３２５０７９号公報
【非特許文献】
【０００７】
【非特許文献１】S．M．Alamouti，“A  Simple  Transmit  Diversity  Technique  for  Wireless  Communications，”IEEE  JOURNAL  ON  SELECT  AREAS  IN  COMMUNICATIONS  VOL．16，NO．8，pp．1451−1458，October  1998.
【非特許文献２】V．Tarokh，H．Jafarkhani，and  R．A．Calderbank，“Space−time  block  codes  from  orthogonal  designs，”IEEE  Trans．Inform．Theory，vol．45，pp．1456−1467，July  1999.
【発明の概要】
【発明が解決しようとする課題】
【０００８】
しかしながら、特許文献１に記載の送信ダイバーシチ方式では、受信側において周波数オフセット差に応じた周期のうなりを強制的に発生させることにより、定常的な落ち込みを回避し、誤り訂正と組み合わせてダイバーシチ効果を得ている。このため、基本的にレベル変動自体が特性の劣化要因となりえるという問題がある。また、付加する周波数オフセットの組み合わせにより、受信信号のレベル変動の周期や変動の大きさが変化し、受信特性に差異が生じるが、付加する周波数オフセットの種類（数）には制限がある。このため、送信アンテナ数を増やすと、特性が良好でない周波数オフセットの組み合わせを使用する必要が生じてしまうという問題がある。
【０００９】
また、非特許文献１に記載の方式は、２アンテナでの送信を意図したものであり、３アンテナ以上には適用できない。非特許文献１に記載の方式を３アンテナ以上に拡張したものとして非特許文献２がある。しかし、非特許文献２の方式では、伝送効率が低下するという欠点があり、また、符号化シンボルにマルチレベル特性を持たせる必要があるため、送信信号のピーク対平均電力比に対する要求が増大し、送信アンプに対する要求条件が厳しくなるという問題がある。
【００１０】
本発明は、上記に鑑みてなされたものであって、送信アンテナ数を４本以上とした場合でも、伝送効率の低下を抑制し高いダイバーシチ効果が得られる無線通信装置、無線通信システムおよび無線通信方法を得ることを目的とする。
【課題を解決するための手段】
【００１１】
上述した課題を解決し、目的を達成するために、本発明は、２Ｎ（Ｎは２以上の整数）本の送信アンテナと、前記２Ｎ本の送信アンテナのうちの２本ずつでＮ組のアンテナペアを構成し、アンテナペアごとに同一の送信データを入力とし、アンテナペアごとに前記送信データに基づいてアンテナペアを構成する２本の前記送信アンテナで送信する２つのＳＴＢＣ符号化送信データをＳＴＢＣ処理により生成するＳＴＢＣ処理部と、前記ＳＴＢＣ符号化送信データに対して、１つのアンテナペアを構成する送信アンテナ間では同一の値となりアンテナペアごとに異なる値となる周波数オフセットを付加する周波数オフセット付加部と、を備え、周波数オフセット後の前記ＳＴＢＣ符号化送信データを対応する前記送信アンテナから送信することを特徴とする。
【発明の効果】
【００１２】
本発明によれば、送信アンテナ数を４本以上とした場合でも、伝送効率の低下を抑制し高いダイバーシチ効果が得られるという効果を奏する。
【図面の簡単な説明】
【００１３】
【図１】図１は、実施の形態１の無線通信システムの構成例を示す図である。
【図２】図２は、実施の形態１の集約局およびリモート局の構成例を示す図である。
【図３】図３は、実施の形態１の端末の構成例を示す図である。
【図４】図４は、実施の形態２の集約局およびリモート局の構成例を示す図である。
【図５】図５は、実施の形態２の端末の構成例を示す図である。
【発明を実施するための形態】
【００１４】
以下に、本発明にかかる無線通信装置の実施の形態を図面に基づいて詳細に説明する。なお、この実施の形態によりこの発明が限定されるものではない。
【００１５】
実施の形態１．
図１は、本発明にかかる無線通信システムの実施の形態１の構成例を示す図である。図１に示すように、本実施の形態の無線通信システムは、リモート局１−１〜１−３と、集約局２と、端末３と、を備える。セル４は、リモート局１−１〜１−３が形成するセル（無線通信圏）を示す。図１では、端末３がセル４内に存在する例を示しているが、セル内の端末数は１台に限定されない。集約局２は、光回線等の有線回線５−１〜５−３によりリモート局１−１〜１−３と接続されている。なお、図１では、リモート局を３局としているが、リモート局の数は３局に限定されない。
【００１６】
図２は、集約局２およびリモート局１−１の構成例を示す図である。図２では、送信処理に関する構成要素を示しており、集約局２およびリモート局１−１は図２に示した以外の構成要素を備えていてもよい。集約局２は、リモート局１−１〜１−ｍ（ｍは１以上の整数）と有線回線５−１〜５−ｍによりそれぞれ接続されている。図２では、リモート局１−１の構成を示しているが、リモート局１−２〜１−ｍの構成もリモート局１−１の構成と同様である。
【００１７】
図２に示すように、集約局２は、図示せぬ上位層からの送信データに対して符号化処理を行う符号化部２１と、符号化処理後の送信データに対してインタリーブ処理を行うインタリーバ２２と、を備える。
【００１８】
リモート局１−１は、集約局２から受信したインタリーブ処理後の送信シンボル列に対してＩＱ平面上へのマッピングを行う変調マッピング部１１と、変調マッピング後のデータに対してＳＴＢＣ処理（時空間ブロック符号化処理）を行うＳＴＢＣ処理部１２と、ＳＴＢＣ処理後のデータに対して周波数オフセットを付加する周波数オフセット付加部１３と、を備える。また、リモート局１−１は、周波数オフセット後のデータに対して、フィルタ処理を行うデジタルフィルタ１４−１，１４−２と、デジタルフィルタ１４−１，１４−２からの出力に対してＤＡ（Digital−Analog）変換、周波数変換、アナログフィルタ処理等を行うＲＦ部１５−１，１５−２と、ＲＦ部１５−１，１５−２からの出力を空中へと放射する送信アンテナ１６−１，１６−２と、を備える。
【００１９】
図３は、端末３の受信部の構成例を示す図である。図３に示すように、端末３は、受信アンテナ３１と、受信アンテナ３１で受信した受信信号に対してアナログフィルタ処理、周波数変換、ＡＤ（Analog−Digital）変換処理等を行うＲＦ部３２と、ＡＤ変換されたサンプルデータに対してフィルタ処理を行うデジタルフィルタ３３と、を備える。また、端末３は、フィルタ処理後のデータに対して時間及び周波数同期処理を行う同期部３４と、同期処理後のデータに基づいて送受信局間のチャネル特性を推定するチャネル推定部３５と、チャネル推定結果に基づいて同期検波を行う同期検波部３６と、同期検波後のデータに対してデインタリーブ処理を行うデインタリーバ３７と、デインタリーブ処理後のデータに対して符号化方式に基づいて復号処理を行う復号化部３８と、を備える。なお、同期検波部３６では、ＳＴＢＣ処理も併せて行う。
【００２０】
次に本実施の形態の動作について説明する。集約局２では、符号化部２１が送信データを符号化して、インタリーバ２２が符号化後の送信データをインタリーブする。集約局２は、インタリーム後のデータを、有線回線５−１〜５−ｍを介してリモート局１−１，１−２，…，１−ｍに送信する。リモート局１−１〜１−ｍには、同じデータが送信される。
【００２１】
リモート局１−１〜１−ｍでは、変調マッピング部１１が、集約局２から受信したデータを変調マッピングし、ＳＴＢＣ処理部１２が、変調マッピング後のシンボルデータに対して、ＳＴＢＣ処理を実施する。
【００２２】
ＳＴＢＣ処理部１２では、入力シンボル列ｓ＝｛ｓ0，ｓ1，ｓ2，…，ｓi，ｓi+1，…｝に基づいて、２本の送信アンテナ１６−１，１６−２にそれぞれ対応する２つのシンボル列ｓ１，ｓ２を以下の式（１）に従って生成し、周波数オフセット付加部１３へ出力する。
ｓ１＝｛ｓ0，−ｓ1*，ｓ2，−ｓ3*…，ｓi，−ｓi+1*，…｝
ｓ２＝｛ｓ1，ｓ0*，ｓ3，ｓ2*…，ｓi+1，ｓi  *，…｝              …（１）
【００２３】
周波数オフセット付加部１３は、ＳＴＢＣ処理部１２から入力される２つのシンボル列に対して、リモート局１−１〜１−ｍ間でそれぞれ異なり、かつ自局の２つの入力シンボル列に対しては同じ値となる周波数オフセットを付加する。付加する周波数オフセットは、例えば、所定の周波数Δｆの整数倍となるように定める。なお、Δｆはシンボル周波数ｆsに対して十分小さい値とする。
【００２４】
ＳＴＢＣ処理後の２つのシンボル列をｓ１n、ｓ２n（ｎはシンボル番号）とすると、周波数オフセット付加後のシンボル列ｓｏ１n、ｓｏ２n、は、例えば、以下の式（２）で表される。
【００２５】
【数１】
2013102348.tif 000003
【００２６】
ここで、ｐはリモート局１−１〜１−ｍ毎に異なる値とする。例えば、リモート局１−１，１−２，１−３，…においてそれぞれｐ＝０，１，２，…とする。以下、リモート局１−１〜１−ｍにおいて、同一のリモート局が備える２つの送信アンテナをアンテナペアと呼ぶこととする。リモート局１−１の送信アンテナ１６−１，１６−２が１つのアンテナペアを構成し、ｍ台のリモート局１−１〜１−ｍを備える場合には、ｍ組のアンテナペアが存在することになる。
【００２７】
周波数オフセット付加部１３は、周波数オフセット付加後の２つのシンボル列ｓｏ１n，ｓｏ２nをそれぞれデジタルフィルタ１４−１，１４−２へ出力する。デジタルフィルタ１４−ｊ（ｊ＝１，２）は、入力されたシンボル列に対してオーバサンプル処理及び帯域制限処理などのフィルタリング処理を実施し、ＲＦ部１５−ｊへ出力する。ＲＦ部１５−ｊは、入力されたデータに対してＤＡ変換、周波数変換、各周波数帯におけるフィルタリング処理、送信アンプによる増幅処理等を実施した後、送信アンテナ１６−ｊを介して空中へ放射する。
【００２８】
端末３では、受信アンテナ３１が、リモート局１−１〜１−ｍの送信アンテナ１６−１，１６−２から送信された信号の合成波を受信する。ＲＦ部３２は、受信した合成波に対して周波数変換、アナログフィルタリング処理、ＡＤ変換処理等を実施して、デジタルフィルタ３３へ出力する。デジタルフィルタ３３は、ＡＤ変換後のサンプルデータに対してデジタルフィルタ処理を行い、同期部３４が、デジタルフィルタ処理後のデータに対して時間及び周波数同期処理を行う。そして、チャネル推定部３５は、同期処理後のフレーム中のパイロットシンボル等を用いて各送信アンテナと受信アンテナ間の伝搬路特性に対応したチャネル推定を行う。
【００２９】
同期検波部３６は、同期処理後のシンボル列をｒｓk（ｋはシンボル番号）、受信アンテナ３１とＳＴＢＣを構成するアンテナペア（２送信アンテナ）との間のチャネル推定値をそれぞれｈ0，ｈ1とすると、同期検波後のシンボル列ｓｅkを以下の式（３）により算出する。
【００３０】
【数２】
2013102348.tif 000004
【００３１】
同期検波部３６は、同期検波後のシンボル列ｓｅkをデインタリーバ３７へ出力する。そして、シンボル列ｓｅkに対してデインタリーバ３７によるデインタリーブ処理、復号化部３８による復号処理が実施される。このようにして、端末３は送信データを得る。
【００３２】
以上のように、本実施の形態では、１つのリモート局（リモート局１−１〜１−ｍのいずれか１つ）内の２つの送信アンテナからなるアンテナペアでＳＴＢＣを構成し、各アンテナペア同士、すなわち、各リモート局１−１〜１−ｍ間では異なる周波数オフセットを付加して周波数オフセット送信ダイバーシチを構成するようした。これにより、例えば１つのリモート局の信号が支配的になるような位置に存在する端末においては、周波数オフセット送信ダイバーシチのレベル変動による受信特性の劣化は抑制され、高いダイバーシチ効果を得ることが可能となる。
【００３３】
また、セル４内の端末の分布を考えた場合に、概して各リモート局１−１〜１−ｍからの信号が同等なレベルで受信される端末は少なく、特定のリモート局からの信号が支配的となる端末が多く存在する。このため、本実施の形態の動作を適用すると、周波数オフセット送信ダイバーシチだけで構成する場合に比べて、受信特性が良好となる端末が多くなる。また、アンテナペア間ではＳＴＢＣを構成するため、周波数オフセット送信ダイバーシチだけで構成する場合に比べて付加する周波数オフセットの種類を半分にすることができ、より受信特性が良好となる周波数オフセット量を選択することが可能となる。
【００３４】
なお、本実施の形態では、各リモート局１−１〜１−ｍの送信アンテナは２本としたが、アンテナ本数はこれに限らず２Ｎ（Ｎ≧２）本で構成することができる。２Ｎ本の送信アンテナを備える場合には、各リモート局１−１〜１−ｍでは、送信アンテナをＮ組のアンテナペアに分類し、アンテナペアを構成する２つの送信アンテナでＳＴＢＣを構成し、各アンテナペア間ではそれぞれ異なる周波数オフセットを付加する。これにより、上述した例と同様に送信ダイバーシチを構成することができる。この場合、２アンテナの場合に比べ、周波数オフセット送信ダイバーシチによるダイバーシチ効果が増すことになる。
【００３５】
また、本実施の形態では、リモート局１−１〜１−ｍと集約局２を備え、リモート局間が互いに遠隔に設置される分散基地局の例を示した。すなわち、集約局２およびリモート局１−１〜１−ｍが、全体で、ＳＴＢＣおよび周波数オフセット送信ダイバーシチを実現する基地局（無線通信装置）を構成していると考えることができる。この場合、各リモート局のＳＴＢＣ処理部１２が局内ＳＴＢＣ処理部となり、ｍ個のリモート局の局内ＳＴＢＣ処理部が広義のＳＴＢＣ処理部を構成する。同様に、各リモート局の周波数オフセット付加部１３が局内周波数オフセット付加部となり、ｍ個の局内周波数オフセット付加部が広義の周波数オフセット付加部を構成していると考えることができる。
【００３６】
なお、本実施の形態は、このような構成に限らず、例えば、単一の基地局（無線通信装置）でセルをカバーする場合に、基地局が２Ｎ本のアンテナ（Ｎ≧２）を備えて、アンテナペアを構成する２つの送信アンテナでＳＴＢＣを構成し、各アンテナペア間ではそれぞれ異なる周波数オフセットを付加するようにしてもよい。その場合も、周波数オフセット送信ダイバーシチだけで構成する場合に比べてダイバーシチ効果は高くなる。
【００３７】
実施の形態２．
図４は、本発明にかかるリモート局１ａ−１〜１ａ−ｍの実施の形態２の構成例を示す図である。図５は、本実施の形態の端末３ａの構成例を示す図である。本実施の形態の無線通信システムの構成は、リモート局１−１〜１−ｍ，端末３の代わりにリモート局１ａ−１〜１ａ−ｍ，端末３ａを備える以外は、実施の形態１と同様である。集約局２の構成は実施の形態１と同様である。実施の形態１と同様の機能を有する構成要素は、実施の形態１と同一の符号を付して重複する説明を省略する。
【００３８】
本実施の形態では、リモート局１ａ−１〜１ａ−ｍにおいて差動符号化を行い、端末３ａで遅延検波により検波を行う例を説明する。
【００３９】
図４に示すように、リモート局１ａ−１は、実施の形態１のリモート局１−１の変調マッピング部１１およびＳＴＢＣ処理部１２の代わりに差動符号化ＳＴＢＣ処理部１７を備える。また、図５に示すように、端末３ａは、実施の形態１の端末３のチャネル推定部３５および同期検波部３６の代わりに遅延検波部３９を備える。遅延検波部３９は、ＳＴＢＣに関するデコード処理も実施する。
【００４０】
次に本実施の形態の動作について説明する。リモート局１ａ−１〜１ａ−ｍが、集約部２からインタリーブ後の送信データを受信するまでの処理は実施の形態１と同様である。
リモート局１ａ−１〜１ａ−ｍでは、差動符号化ＳＴＢＣ処理部１７が、送信データに対してシンボルデータへのマッピングを行う。そして、差動符号化ＳＴＢＣ処理部１７は、マッピング後のシンボルデータ系列を｛ａ0，ａ1，ａ2，ａ3，…｝とし、送信アンテナ１６−１に対応したＳＴＢＣ処理後の送信シンボル列を｛ｘ0，−ｘ1*，ｘ2，−ｘ3*，…｝とし、送信アンテナ１６−２に対応したＳＴＢＣ処理後の送信シンボル列を｛ｘ1，ｘ0*，ｘ3，ｘ2*，…｝とするとき、以下の式（４）に従って漸化的に送信シンボル列を算出する。
【００４１】
【数３】
2013102348.tif 000005
【００４２】
ただし、｜a2i｜2＋｜a2i+1｜2＝１とする。また、｜x0｜2＋｜x1｜2＝１とする。ここで、a2i、a2i+1について解くと、以下の式（５）のようになる。
【００４３】
【数４】
2013102348.tif 000006
【００４４】
各送信アンテナ１６−１，１６−２に対応したＳＴＢＣ処理後の送信シンボル列に対して、実施の形態１と同様に周波数オフセット付加以降の処理を実施する。
【００４５】
端末３ａでは、実施の形態１と同様に同期処理まで行った後、遅延検波部３９が、ＳＴＢＣを加味した遅延検波を行う。ＳＴＢＣを構成するアンテナペアの各々と受信アンテナ３１間のチャネルをｈ0，ｈ1、受信シンボル列をｒkとすると、以下の式（６）のように表すことができる。
【００４６】
【数５】
2013102348.tif 000007
【００４７】
従って、以下の式（７）によりシンボルデータ系列ａkを推定することができる。なお、｜ｈ0｜2＋｜ｈ1｜2は定数であり、位相変調された信号をデマッピングするにあたり算出する必要のないものである。
【００４８】
【数６】
2013102348.tif 000008
【００４９】
そして、遅延検波部３９は、シンボルデータ系列から送信データへのデマッピングを行った後、実施の形態１と同様にデインタリーブ以降の処理を行う。
【００５０】
なお、本実施の形態では、リモート局１ａ−１〜１ａ−ｍと集約局２を備え、リモート局間が互いに遠隔に設置される分散基地局の例を示したが、実施の形態１で述べたように、これに限らず、例えば、単一の基地局（無線通信装置）でセルをカバーする場合に基地局が２Ｎ本のアンテナ（Ｎ≧２）を備えて、アンテナペアを構成する２つの送信アンテナでＳＴＢＣを構成し、各アンテナペア間ではそれぞれ異なる周波数オフセットを付加するようにしてもよい。
【００５１】
以上のように、本実施の形態では、リモート局１ａ−１〜１ａ−ｍにおいて差動符号化ＳＴＢＣ処理を行って送信データを送信し、端末３ａはＳＴＢＣを加味した遅延検波を行うようにした。このため、実施の形態１と同様の効果が得られるとともに、チャネル推定が不要となるため、端末３ａの受信回路が簡単となり、端末３ａを安価に実現することが可能となる。
【産業上の利用可能性】
【００５２】
以上のように、本発明にかかる無線通信装置、無線通信システムおよび無線通信方法は、移動体通信に有用であり、特に、送信ダイバーシチを行う無線通信装置に適している。
【符号の説明】
【００５３】
１−１〜１−ｍ，１ａ−１〜１ａ−ｍ  リモート局
２  集約局
３，３ａ  端末
４  セル
５−１〜５−ｍ  有線回線
１１  変調マッピング部
１２  ＳＴＢＣ処理部
１３  周波数オフセット付加部
１４−１，１４−２，３３  デジタルフィルタ
１５−１，１５−２，３２  ＲＦ部
１６−１，１６−２  送信アンテナ
１７  差動符号化ＳＴＢＣ処理部
２１  符号化部
２２  インタリーバ
３１  受信アンテナ
３４  同期部
３５  チャネル推定部
３６  同期検波部
３７  デインタリーバ
３８  復号化部
３９  遅延検波部
【図１】
2013102348.tif 000009
【図２】
2013102348.tif 000010
【図３】
2013102348.tif 000011
【図４】
2013102348.tif 000012
【図５】
2013102348.tif 000013